(57)【要約】【課題】摩耗や衝撃を受けるような環境下でも耐久性に優れる土木用袋体及びその製造方法を提供すること。【解決手段】本発明は、袋状の編地に樹脂材が付与された土木用袋体１００であって、編地からなる編地部５と、樹脂材からなる樹脂部６と、を有し、樹脂部６のうち編地部５の外側に付着した外側樹脂部６ａの厚みが、樹脂部６のうち編地部の内側に付着した内側樹脂部６ｂの厚みよりも大きい土木用袋体１００である。【選択図】図１
2015209746.tif 000002
【特許請求の範囲】
【請求項１】
袋状の編地に樹脂材が付与された土木用袋体であって、
編地からなる編地部と、
前記樹脂材からなる樹脂部と、
を有し、
前記樹脂部のうち前記編地部の外側に付着した外側樹脂部の厚みが、前記樹脂部のうち前記編地部の内側に付着した内側樹脂部の厚みよりも大きい土木用袋体。
【請求項２】
前記編地のストランドに対して前記樹脂材が円筒状に付与されている請求項１記載の土木用袋体。
【請求項３】
少なくとも上端部及び下端部から一定の距離を置いた中腹部の編地のストランドに対して樹脂材が円筒状に付与されている請求項１記載の土木用袋体。
【請求項４】
前記樹脂部の厚みが１０ｍｍ以下である請求項１〜３のいずれか１項に記載の土木用袋体。
【請求項５】
断面における前記編地部と、前記樹脂部との面積の比が、１：０．２〜３．０である請求項１〜４のいずれか１項に記載の土木用袋体。
【請求項６】
前記編地部の空隙部が多角形状であり、
空隙率が５０〜９０％である請求項１〜５のいずれか１項に記載の土木用袋体。
【請求項７】
前記編地がマルチフィラメント糸からなる請求項１〜６のいずれか１項に記載の土木用袋体。
【請求項８】
前記樹脂材がポリウレタン又はポリウレアであり、
前記編地のストランドの単位質量あたりの前記樹脂材の目付けが０．１〜２．０ｇ／ｇである請求項１〜７のいずれか１項に記載の土木用袋体。
【請求項９】
請求項１〜８のいずれか１項に記載の土木用袋体の製造方法であって、
前記編地を吊り下げる吊り下げ工程と、
前記編地に対し、該編地の側面から吹付具を用いて前記樹脂材を吹き付ける吹付工程と、
を有する土木用袋体の製造方法。
【請求項１０】
前記吊り下げ工程が、前記編地の口部を開いた状態で吊り下げる工程である請求項９記載の土木用袋体の製造方法。
【請求項１１】
前記吊り下げ工程において、前記編地の側面の少なくとも２箇所を外方に引っ張った状態とする請求項９又は１０に記載の土木用袋体の製造方法。
【請求項１２】
前記吹付工程において、前記編地を周方向に回転させながら、前記樹脂材を吹き付ける請求項９〜１１のいずれか１項に記載の土木用袋体の製造方法。
【発明の詳細な説明】
【技術分野】
【０００１】
本発明は、土木用袋体及びその製造方法に関し、更に詳しくは、摩耗や衝撃を受けるような環境下でも耐久性に優れる土木用袋体及びその製造方法に関する。
【背景技術】
【０００２】
土木の分野においては、玉石、割栗石、砕石等を収容するために、所定の強度を有する袋体が用いられる。
かかる袋体は、用途によって求められる特性が異なるので、それに応じて様々なタイプのものが用いられている。その中でも、フレキシブル性に優れる編地からなる袋体が有用されている。
【０００３】
編地からなる袋体としては、例えば、編成した編地より形成された巾着状の袋本体よりなり、袋本体の口部には編地に挿通した口縛りロープが設けられた袋材（袋体）が知られている（例えば、特許文献１参照）。
また、編地により形成され、上方に開いた口部を有し、下方はやや狭まって底部を形成しており、全体として巾着状となっている袋体が知られている（例えば、特許文献２参照）。
【先行技術文献】
【特許文献】
【０００４】
【特許文献１】特開２０１１−１７４２２６号公報
【特許文献２】特許第５２５９６８６号公報
【発明の概要】
【発明が解決しようとする課題】
【０００５】
しかしながら、上記特許文献１及び２に記載の袋体を含む従来の編地からなる袋体は、収容物を収容した状態で、長期的に用いる場合、袋体の耐久性が十分とはいえない。
【０００６】
本発明は上記事情に鑑みてなされたものであり、摩耗や衝撃を受けるような環境下でも耐久性に優れる土木用袋体及びその製造方法を提供することを目的とする。
【課題を解決するための手段】
【０００７】
本発明者らは、上記課題を解決するため鋭意検討したところ、少なくとも樹脂部のうち編地部の外側に付着した外側樹脂部の厚みを、樹脂部のうち編地部の内側に付着した内側樹脂部の厚みよりも大きくすることにより、上記課題を効率良く解決し得ることを見出し、本発明を完成するに至った。
【０００８】
本発明は、（１）袋状の編地に樹脂材が付与された土木用袋体であって、編地からなる編地部と、樹脂材からなる樹脂部と、を有し、樹脂部のうち編地部の外側に付着した外側樹脂部の厚みが、樹脂部のうち編地部の内側に付着した内側樹脂部の厚みよりも大きい土木用袋体に存する。
【０００９】
本発明は、（２）編地のストランドに対して樹脂材が円筒状に付与されている上記（１）記載の土木用袋体に存する。
【００１０】
本発明は、（３）少なくとも上端部及び下端部から一定の距離を置いた中腹部の編地のストランドに対して樹脂材が円筒状に付与されている上記（１）記載の土木用袋体に存する。
【００１１】
本発明は、（４）樹脂部の厚みが１０ｍｍ以下である上記（１）〜（３）のいずれか１つに記載の土木用袋体に存する。
【００１２】
本発明は、（５）断面における編地部と、樹脂部との面積の比が、１：０．２〜３．０である上記（１）〜（４）のいずれか１つに記載の土木用袋体に存する。
【００１３】
本発明は、（６）編地部の空隙部が多角形状であり、空隙率が５０〜９０％である上記（１）〜（５）のいずれか１つに記載の土木用袋体に存する。
【００１４】
本発明は、（７）編地がマルチフィラメント糸からなる上記（１）〜（６）のいずれか１つに記載の土木用袋体に存する。
【００１５】
本発明は、（８）樹脂材がポリウレタン又はポリウレアであり、編地のストランドの単位質量あたりの樹脂材の目付けが０．１〜２．０ｇ／ｇである上記（１）〜（７）のいずれか１つに記載の土木用袋体に存する。
【００１６】
本発明は、（９）上記（１）〜（８）のいずれか１つに記載の土木用袋体の製造方法であって、編地を吊り下げる吊り下げ工程と、編地に対し、該編地の側面から吹付具を用いて樹脂材を吹き付ける吹付工程と、を有する土木用袋体の製造方法に存する。
【００１７】
本発明は、（１０）吊り下げ工程が、編地の口部を開いた状態で吊り下げる工程である上記（９）記載の土木用袋体の製造方法に存する。
【００１８】
本発明は、（１１）吊り下げ工程において、編地の側面の少なくとも２箇所を外方に引っ張った状態とする上記（９）又は（１０）に記載の土木用袋体の製造方法に存する。
【００１９】
本発明は、（１２）吹付工程において、編地を周方向に回転させながら、樹脂材を吹き付ける上記（９）〜（１１）のいずれか１つに記載の土木用袋体の製造方法に存する。
【発明の効果】
【００２０】
本発明の土木用袋体においては、樹脂部を形成することにより、砂や石等が編地の隙間に入り込むこと防止することができ、外側樹脂部の厚みを、内側樹脂部の厚みよりも大きくすることにより、外方から砂や石等による摩耗や衝撃を受けるような環境下で長期的に用いられる場合であっても、十分な耐久性を発揮することが可能となる。
一方で、収容物と土木用袋体とが擦れ合うことによる摩耗は、外方からの砂や石等による摩耗や衝撃よりも小さいので、内側樹脂部の厚みは、外側樹脂部の厚みよりも小さくする。
このとき、耐久性の観点から、樹脂部（外側樹脂部及び内側樹脂部）の厚みは１０ｍｍ以下とすることが好ましい。
【００２１】
本発明の土木用袋体においては、編地のストランドに対して樹脂材が円筒状に付与されている場合、樹脂部の剥離が抑制され、耐久性がより向上する。
なお、少なくとも上端部及び下端部から一定の距離を置いた中腹部の編地のストランドに対して樹脂材が円筒状に付与されていればよい。これにより、収容物が収容された場合に負荷がかかりやすい中腹部を的確に補強することができる。
【００２２】
本発明の土木用袋体においては、断面における編地部と、樹脂部との面積の比を、上記範囲内とすることにより、取扱い性を損なうことなく、上述した効果を十分に発揮することができる。
【００２３】
本発明の土木用袋体においては、編地部の空隙部を多角形状とし、空隙率を上記範囲内とすることにより、柔軟性に優れるものとなる。
【００２４】
本発明の土木用袋体においては、編地をマルチフィラメント糸からなるものとすることにより、編地と樹脂材との密着性をより向上させることができる。
【００２５】
本発明の土木用袋体においては、樹脂材をポリウレタン又はポリウレアとし、編地のストランドの単位質量あたりの樹脂材の目付けを上記範囲内とすることにより、編地特有の柔軟性を維持することができる。
【００２６】
本発明の土木用袋体の製造方法は、吊り下げ工程と吹付工程とを経ることにより、手前側の編地部の外側に多くの樹脂材を付与することができ、且つ、手前側の編地部の空隙部を通過した樹脂材により、奥側の編地部の内側にも樹脂材を付与することができる。これにより、上述した耐久性に優れる土木用袋体を製造することができる。
このとき、吊り下げ工程において、編地の口部を開いた状態で吊り下げ、吹付工程を行うことにより、編地に対して樹脂材をより均一に付着させることができる。
また、吊り下げ工程において、編地の側面の少なくとも２箇所を外方に引っ張った状態とすることにより、吹付工程において、樹脂材を編地の内部にまで付着させることが可能となる。
さらに、吹付工程において、編地を周方向に回転させながら、該編地に対し、吹付具を用いて樹脂材を吹き付けることにより、編地全体に簡単且つ均一に樹脂材を付与することができる。
【図面の簡単な説明】
【００２７】
【図１】図１は、本実施形態に係る土木用袋体を示す概略斜視図である。
【図２】図２は、本実施形態に係る土木用袋体の本体部の一部を示す断面図である。
【図３】図３は、本実施形態に係る土木用袋体の製造方法を示すフローチャートである。
【図４】図４は、本実施形態に係る土木用袋体の製造方法において、編地に樹脂材を吹き付けた場合、編地に対する樹脂材の付与のされ方を説明するための模式図である。
【図５】図５の（ａ）は、本実施形態に係る土木用袋体の製造方法における吊り下げ工程を説明するための概略斜視図であり、（ｂ）は、他の例である。
【図６】図６は、本実施形態に係る土木用袋体の製造方法で得られた土木用袋体の本体部の一部を示す写真である。
【図７】図７の（Ａ）〜（Ｄ）は、本実施形態に係る土木用袋体の使用方法を説明するための説明図である。
【発明を実施するための形態】
【００２８】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２９】
図１は、本実施形態に係る土木用袋体を示す概略斜視図である。
図１に示すように、本実施形態に係る土木用袋体１００は、逆三角錐状の本体部１と、本体部１の口部１１に編目を交互に挿通するようにして取り付けられた吊りロープ２と、該吊りロープ２の上側に編目を交互に挿通するようにして取り付けられた口縛りロープ３とを備える。
なお、通常、吊りロープ２と口縛りロープ３とは平行となるように取り付けられている。
【００３０】
本体部１は、上端部及び下端部から一定の距離を置いた編地の中腹部Ｐに樹脂材が編地のストランドの長手方向に沿って円筒状に付与された構造となっている。すなわち、上端部から一定の距離を上部、下端部から一定の距離を下部、上部と下部との間を中腹部Ｐとした場合に、中腹部Ｐの編地にのみ樹脂材が付与されている。
【００３１】
ここで、上端部からの一定の距離（上部の上下方向の長さ）は、本体部１の全長の距離の３０％以下の距離であり、２０％以下の距離であることが好ましい。
また、下端部からの一定の距離（下部の上下方向の長さ）は、本体部１の全長の距離の３０％以下の距離である。
【００３２】
土木用袋体１００においては、中腹部Ｐの編地に樹脂材が付与されているので、玉石、割栗石、砕石、砂利石等の収容物が収容された状態で、例えば、河岸等に施工した場合、負荷がかかりやすい中腹部Ｐを的確に補強することができる。
このとき、樹脂部６は編地部５に対してストランドの長手方向に円筒状に付与されているので、樹脂部６の剥離が抑制され、耐久性がより向上する。
また、上部の編地には樹脂材が付与されていないので、柔軟性が低下せず、口縛りロープ３により、土木用袋体１００の口部１１を締め込む操作が容易に行える。
さらに、下部の編地は、収容物を収容した後、所定の位置に長期的に配置する場合、収容物の底になる部位であるため、砂や石等による摩耗や衝撃を受けにくい。したがって、軽量化の観点から、必ずしも下部の編地には樹脂材が付与されていなくてもよい。
【００３３】
土木用袋体１００において、編地は、ラッシェル編機により編成されるラッシェル編地が用いられる。
ここで、上記編地は、多数の繊維を寄り合わせたマルチフィラメント糸からなっている。このため、編地と樹脂材との密着性をより向上させることができる。
【００３４】
編地を編成する編糸としては、ポリオレフィン繊維糸、ポリエステル繊維糸、ポリアミド繊維糸、ポリアクリル繊維糸等の合繊繊維糸、又は、綿糸、麻糸等の天然繊維糸等が挙げられる。なお、これらは、単独で又は混繊して使用してもよい。
【００３５】
樹脂材としては、特に限定されないが、例えば、ポリアミド、ポリエステル、ポリウレタン、ポリウレア、ポリアクリロニトリル、ポリオレフィン、ポリ塩化ビニル、ポリビニルアルコール等の合成樹脂、天然ゴム、スチレン−ブタジエンゴム、ニトリル−ブタジエンゴム、クロロプレンゴム、クロロスルホン化ポリエチレンゴム、ウレタンゴム等のゴム系樹脂が挙げられる。なお、これらは、単独で又は混合して使用してもよい。
これらの中でも、弾力性及び耐久性の観点から、樹脂材は、ポリウレタン又はポリウレアであることが好ましい。
【００３６】
本体部１において、編地のストランドの太さが３〜４ｃｍの場合、ストランド長さ１ｃｍあたりの樹脂材の目付けが０．４〜３．０ｇ／ｃｍであることが好ましい。
樹脂材の目付が０．４ｇ／ｃｍ未満であると、目付が上記範囲内にある場合と比較して、強度や耐久性が十分に向上しない場合があり、樹脂材の目付が３．０ｇ／ｃｍ超えると、目付が上記範囲内にある場合と比較して、重量が大きくなると共に、編地特有の柔軟性が損なわれるので取扱い性が悪くなる。
【００３７】
本体部１は、ストランドＴによって形成された部分が空隙部Ｓとなっている。すなわち、本体部１は、格子状に多数の矩形の空隙部Ｓを有している。
ここで、本体部１の空隙率は、５０〜９０％であることが好ましい。
本体部１の空隙率が５０％未満であると、空隙率が上記範囲内にある場合と比較して、柔軟性が不十分となる場合があり、本体部１の空隙率が９０％を超えると、空隙率が上記範囲内にある場合と比較して、収容物の動きの自由度が向上するので、収容物と本体部１とが擦れることにより、土木用袋体の破損が生じる恐れがある。
【００３８】
図２は、本実施形態に係る土木用袋体の本体部の一部を示す断面図である。
図２に示すように、本体部１は、編地からなる編地部５と、樹脂材からなる樹脂部６と、を有し、編地部５を芯とし、樹脂部６が編地部５を被覆するように付与された芯鞘構造となっている。
【００３９】
本体部１において、断面における編地部５と、樹脂部６との面積の比は、１：０．２〜３．０であることが好ましい。
断面における編地部５と、樹脂部６との面積の比が、編地部５が１である場合、樹脂部６が０．２未満であると、面積の比が上記範囲内にある場合と比較して、耐久性が十分に向上しない場合があり、断面における編地部５と、樹脂部６との面積の比が、編地部５が１である場合、樹脂部６が３．０を超えると、面積の比が上記範囲内にある場合と比較して、編地特有の柔軟性が幾分か損なわれるので取扱い性が悪くなる。
【００４０】
本体部１においては、樹脂部６のうち編地部５の外側に付着した外側樹脂部６ａの厚みＨ１が、樹脂部６のうち編地部の内側に付着した内側樹脂部６ｂの厚みＨ２よりも大きくなっている。
【００４１】
ここで、河岸等の現場に施工された場合を考えると、内側樹脂部６ｂは、収容物と本体部１とが擦れ合うことにより摩耗され土木用袋体１００が破損することを防止する。
また、収容物は比較的安定しているので、収容物と本体部１とが擦れ合うことによる摩耗は比較的小さい。
したがって、軽量化の観点からも、内側樹脂部６ｂの厚みＨ２は、外側樹脂部６ａの厚みＨ１よりも小さくすることが望ましい。
具体的には、内側樹脂部６ｂの厚みＨ２は、１．０〜３．５ｍｍであることが好ましい。
【００４２】
一方で、外側樹脂部６ａは、砂や流石等による摩耗や衝撃により土木用袋体１００が破損することを防止する。
ここで、長期的に使用する場合を考慮すると、水の流れを受けて移動する砂や石等による摩耗や衝撃が極めて大きいため、外側樹脂部６ａの厚みＨ１は、内側樹脂部６ｂの厚みＨ２よりも大きくすることが望ましい。
具体的には、外側樹脂部６ａの厚みＨ１は、１．５〜４．０ｍｍであることが好ましい。
【００４３】
また、外側樹脂部６ａの厚みと、内側樹脂部６ｂの厚みとの比は、内側樹脂部６ｂの厚みを１とした場合、外側樹脂部６ａの厚みは、１より大きく３．０以下であることが好ましい。
【００４４】
これらのことにより、土木用袋体１００は、それ自体の重量の増大化を抑制すると共に、摩耗や衝撃を受けるような環境下で長期的に用いられる場合であっても、十分な耐久性を発揮することが可能となる。
【００４５】
内側樹脂部６ｂの厚みＨ２及び外側樹脂部６ａの厚みＨ１は、厚みが１０ｍｍ以下であることが好ましく、１．０〜４．０ｍｍであることがより好ましい。
厚みが１０ｍｍを超えると、厚みが上記範囲内にある場合と比較して、耐久性がそれ以上向上せず、単に重量が大きくなるという欠点がある。
【００４６】
吊りロープ２及び口縛りロープ３は、公知のロープを適宜採用することができる。
【００４７】
本実施形態に係る土木用袋体１００は、袋型根固め工、護岸工、仮設工等に好適に用いられる。
【００４８】
次に、本実施形態に係る土木用袋体１００の製造方法について説明する。
図３は、本実施形態に係る土木用袋体の製造方法を示すフローチャートである。
図３に示すように、本実施形態に係る土木用袋体１００の製造方法は、編地を吊り下げる吊り下げ工程Ｓ１と、編地に対し、該編地の側面から吹付具を用いて樹脂材を吹き付ける吹付工程Ｓ２と、を有する。
【００４９】
図４は、本実施形態に係る土木用袋体の製造方法において、編地に樹脂材を吹き付けた場合、編地に対する樹脂材の付与のされ方を説明するための模式図である。
図４に示すように、本実施形態に係る土木用袋体１００の製造方法においては、編地を吊り下げた状態で（吊り下げ工程Ｓ１）で、該編地の側面から吹付具を用いて樹脂材を吹き付けるので（吹付工程Ｓ２）、吹き付ける手前側の編地部５ａの外側により多くの樹脂材を付与することができる。
また、手前側の編地部５ａの空隙部を通過した樹脂材により、奥側の編地部５ｂの内側にも樹脂材を付与することができる。これにより、積極的に外側樹脂部の厚みが、内側樹脂部の厚みよりも大きい土木用袋体を製造することができる。
【００５０】
以下、各工程について更に詳細に説明する。
図５の（ａ）は、本実施形態に係る土木用袋体の製造方法における吊り下げ工程を説明するための概略斜視図であり、（ｂ）は、他の例である。
図５の（ａ）に示すように、吊り下げ工程Ｓ１は、編地を吊り下げる工程である。
吊り下げ工程Ｓ１においては、まず、吊り下げられた円形の枠体１５から等間隔となるように複数のフック１２を吊り下げる。
そして、該フック１２を編地の口部１１の引掛けることにより、口部１１を開いた状態で編地が吊り下げられる。
口部１１を開いた状態とすることにより、編地を膨らませた状態にでき、後述する吹付工程Ｓ２において、編地に対して樹脂材をより均一に付着させることが可能となる。
また、編地はその重さにより、編み目が広がった状態で樹脂材を付与できるので、尚更樹脂材を均一に付着させることが可能となる。
【００５１】
また、図５の（ｂ）に示すように、吊り下げられた矩形状の枠体１３と、枠体１３に取り付けられた支持具１４とからから等間隔となるように複数のフック１２を吊り下げ、該フック１２を編地の口部１１の引掛けることにより、口部１１を開いた状態で編地を吊り下げてもよい。このように、このとき、編地の口部１１は可及的円形に近い状態で吊り下げることが好ましい。
【００５２】
また、吊り下げられた編地は、側面の少なくとも２箇所にロープをフック等で引掛けて、外方に引っ張った状態とする。これにより、後述する吹付工程Ｓ２において、樹脂材を編地の内部にまで付着させることが可能となる。
【００５３】
吹付工程Ｓ２は、吊り下げられた編地に対し、吹付具を用いて樹脂材を吹き付ける工程である。
ここで、吹付具の構造は特に限定されず、公知のノズル装置や吹付ガン等を適宜採用することができる。
【００５４】
吹付工程Ｓ２おいては、編地を周方向に回転させながら、編地に対し、吹付具を用いて樹脂材を吹き付ける。これにより、編地の周方向に対し、簡単且つ均一に樹脂材を付与することが可能となる。なお、このとき、上述した上部及び下部には樹脂材を吹き付けず、中腹部Ｐに樹脂材が吹き付けられる。
こうして、本実施形態に係る土木用袋体１００が得られる。図６は、得られた土木用袋体１００の本体部の一部を示す写真である（ブルーシートに載置した状態）。
【００５５】
次に、本実施形態に係る土木用袋体１００の使用方法の一例について説明する。
図７の（Ａ）〜（Ｄ）は、本実施形態に係る土木用袋体の使用方法を説明するための説明図である。
まず、図７の（Ａ）に示すように、上面視で円形の型枠Ｋの内側面に沿うようにして土木用袋体１００を取り付ける。このとき、土木用袋体１００の口部１１は、型枠Ｋの上縁周囲に沿って保持しておく。
そして、図７の（Ｂ）に示すように、玉石、割栗石、砕石、砂利石等の収容物Ｗを土木用袋体１００に投入する。
【００５６】
次に、図７の（Ｃ）に示すように、収容物Ｗの所定量を投入した後、吊りロープ２にフックＦで張力を与えた状態で、該吊りロープ２の上方に備わった口縛りロープ３により口部１１を閉じる。このとき、フックＦの操作はクレーン等を使って行い、土木用袋体１００の底部が地面から少し浮上る程度まで吊り上げて吊りロープ２に張力を与え土木用袋体１００の編地の弛みをなくすことが好ましい。
そして、図７の（Ｄ）に示すように、口縛りロープ３により口部１１を閉じた後は、型枠Ｋから土木用袋体１００を脱型させ、吊り上げて必要な場所（置き場等）に移動させる。
【００５７】
以上、本発明の実施形態について説明したが、本発明は上記実施形態に限定されるものではない。
【００５８】
例えば、本実施形態に係る土木用袋体１００においては、吊りロープ２と、口縛りロープ３とを備えているが必須の構成ではなく、土木用袋体１００とは別体であってもよい。
また、吊りロープ２と口縛りロープ３とは平行となるように取り付けられているが、これに限定されるものではない。
【００５９】
本実施形態に係る土木用袋体１００においては、上端部から一定の距離を上部、下端部から一定の距離を下部、上部と下部との間を中腹部Ｐとした場合に、中腹部Ｐの編地にのみ樹脂材が付与されているが、これに限定されない。すなわち、中腹部Ｐ及び下部に樹脂材が付与されていてもよく、全体（中腹部Ｐ、上部及び下部）に樹脂材が付与されていてもよい。
【００６０】
本実施形態に係る土木用袋体１００において、本体部１は、格子状に多数の矩形の空隙部Ｓを有しているが、空隙部Ｓの形状は矩形に限定されず、多角形状であればよい。
例えば、空隙部の形状は、ひし形や六角形状等であってもよい。
【００６１】
本実施形態に係る土木用袋体１００の製造方法の吊り下げ工程Ｓ１においては、吊り下げられた平板状のパネル１３と、パネル１３に取り付けられた支持具１４とから等間隔となるように複数のフック１２を吊り下げ、該フック１２を編地の口部１１の引掛けることにより吊り下げているが、口部１１を開いた状態で編地を吊り下げ可能であれば、吊り下げ方法はこれに限定されない。
また、吊り下げ工程において、編地の側面の少なくとも２箇所を外方に引っ張った状態としているが、必須の操作ではない。
【００６２】
本実施形態に係る土木用袋体１００の製造方法の吹付工程Ｓ２おいては、編地を周方向に回転させながら、編地に対し、吹付具を用いて樹脂材を吹き付けているが、編地を中心に、吹付具を編地の周方向に回転させながら、樹脂材を吹き付けてもよい。
【産業上の利用可能性】
【００６３】
本発明の土木用袋体は、袋型根固め工、護岸工、仮設工等に使用される袋体として利用できる。かかる土木用袋体によれば、摩耗や衝撃を受けるような環境下でも耐久性に優れるものとなる。
【符号の説明】
【００６４】
１・・・本体部
１１・・・口部
１２・・・フック
１３・・・パネル
１４・・・支持具
１００・・・土木用袋体
２・・・吊りロープ
３・・・口縛りロープ
５，５ａ，５ｂ・・・編地部
６・・・樹脂部
６ａ・・・外側樹脂部
６ｂ・・・内側樹脂部
Ｆ・・・フック
Ｈ１，Ｈ２・・・厚み
Ｋ・・・型枠
Ｐ・・・中腹部
Ｓ・・・空隙部
Ｓ１・・・吊り下げ工程
Ｓ２・・・吹付工程
Ｔ・・・ストランド
Ｗ・・・収容物
【図１】
2015209746.tif 000003
【図２】
2015209746.tif 000004
【図３】
2015209746.tif 000005
【図４】
2015209746.tif 000006
【図５】
2015209746.tif 000007
【図６】
2015209746.tif 000008
【図７】
2015209746.tif 000009